(57)【要約】      （修正有）【課題】監視者の労力や負担が大きいという課題を解決して、効率よく監視対象の不具合等を監視する監視装置を提供する。【解決手段】監視装置１は、撮像機能（内蔵カメラ２）または（外付けカメラでもよい）を備えた携帯端末３と、監視の対象となる物や人４の動きを検出する動体検知機能を備えた動体検知センサー５と、動体検知センサー５の検知信号を受けて、動体検知信号（微弱な電波）を送信する送信機６と、この送信機６の送信信号を受けてカウントを開始し、所定時間内に再度前記送信機の送信信号を受けるとカウントをリセットし、所定時間内に再度前記送信機６の送信信号を受けない場合のみ、携帯端末３からカメラ２で撮像した画像を送信させるための信号（微弱無線信号）を送信する構成を備えた中継機７と、を基本構成として備える。【選択図】図１
0003206214.tif 000002
【実用新案登録請求の範囲】
【請求項１】
撮像機能を備えた携帯端末と、
監視の対象の動きを検出する動体検知機能を備えた動体検知センサーと、
動体検知センサーの検知信号を受けて、動体検知信号を送信する送信機と、
前記送信機の送信信号を受けてカウントを開始し、所定時間内に再度前記送信機の送信信号を受けるとカウントをリセットし、所定時間内に再度前記送信機の送信信号を受けない場合のみ、前記撮像機能を備えた携帯端末が撮像した画像を所定の携帯受信端末に送るように前記撮像機能を備えた携帯端末を作動させる、タイマーを備えた中継機と、
前記タイマーのリセット用の所定時間を設定可能なタイマー可変装置と、からなる監視装置。
【請求項２】
前記動体検知センサーとして、ドップラーセンサーを使用したものである構成を有する、請求項１に記載の監視装置。
【考案の詳細な説明】
【技術分野】
【０００１】  本考案は、人や物の動きを検知すると自動的にこれを検知し、検知したことを知らせることができる監視装置であって、特に対象をカメラで撮像して画像を送信できることが可能な監視装置に関するものである。
【背景技術】
【０００２】従来の監視装置のうち、特に携帯端末を利用し監視の対象となる人や設備を選択し、選択した対象設備等をカメラにより撮像し、撮像した画像を携帯端末に送信する機能を備えた、遠隔監視装置が存在する（例えば、特許文献１参照。）
【先行技術文献】
【０００３】
【特許文献１】特許公報  第５４９６２４４号
【考案の概要】
【考案が解決しようとする課題】
【０００４】  しかし、このような監視装置では監視者の方で積極的に監視動作をしなければならず、監視者の労力や負担が大きいという課題がある。これに対して動体検知機能を備えた監視技術が考え出されているが、動体の検知の度毎に画像が送信されるので、監視にそれなりの労力と注意力が要求され、やはり監視者の労力や負担が大きいという課題がある。
本考案は、前記従来の課題を解決するもので、タイマー式の中継機を設けることによって、動体の検知の度毎に画像を送信するのではなく、動体検知の後に所定の時間内に再度動体検知があると、画像を送らず、所定の時間内に再度動体検知がないときのみにおいて、画像を送信するようにして、被監視対象のもの（主に人）の動きが止まったことを、検知できるようにして、監視者の労力や負担が大きいという課題を解決して、効率よく監視対象の不具合等を監視する監視装置を提供することを目的とする。
【課題を解決するための手段】
【０００５】前記従来の課題を解決するために、本考案の監視装置は必要となる構成として、
○  撮像機能を備えた携帯端末、
○  監視の対象の動きを検出する動体検知機能を備えた動体検知センサー、
○  動体検知センサーの検知信号を受けて、動体検知信号を送信する送信機、
○  前記送信機の送信信号を受けてカウントを開始し、所定時間内に再度前記送信機の送信信号を受けるとカウントをリセットし、所定時間内に再度前記送信機の送信信号を受けない場合のみ、前記撮像機能を備えた携帯端末が撮像した画像を所定の携帯受信端末に送るように前記撮像機能を備えた携帯端末を作動させる、タイマーを備えた中継機、
○  前記タイマーのリセット用の所定時間を設定可能なタイマー可変装置、
なる構成を有する。【０００６】また、さらに本考案の監視装置は、動体検知センサーとして、ドップラーセンサーを使用したものである構成を有する。
【考案の効果】
【０００７】本考案によれば、タイマーを備えた中継機を備えることによって、動体の検知の度毎に画像を送信するのではなく、動体検知の後に所定の時間内に再度動体検知があると、画像を送らず、所定の時間内に再度動体検知がないときのみにおいて、画像を送信するようにして、被監視対象のもの（主に人）の動きが止まったことを、検知できるようにして、監視者の労力や負担が大きいという課題を解決して、効率よく監視対象の不具合等を監視する監視装置を提供できる。
【図面の簡単な説明】
【０００８】
【図１】  図１は、本考案の実施例における監視装置の構成を示した説明図である。
【考案を実施するための形態】
【０００９】以下に、本考案の監視装置の実施の形態を図１とともに詳細に説明する。
図１において、監視装置１は、撮像機能（内蔵カメラ２）または（外付けカメラでもよい）を備えた携帯端末３と、監視の対象となる物や人４の動きを検出する動体検知機能を備えた動体検知センサー５と、動体検知センサー５の検知信号を受けて、動体検知信号（微弱な電波）を送信する送信機６と、この送信機６の送信信号を受けてカウントを開始し、所定時間内に再度前記送信機の送信信号を受けるとカウントをリセットし、所定時間内に再度前記送信機６の送信信号を受けない場合のみ、携帯端末３からカメラ２で撮像した画像を送信させるための信号（微弱無線信号）を送信する構成を備えた中継機７と、を基本構成として備える。なお、中継機７はタイマー８を備えており、タイマー８は、送信機６の送信信号を受けてカウントを開始し、所定時間内に再度前記送信機の送信信号を受けるとカウントをリセットする機能を有している。このタイマーの時間カウント機能を利用して、カウント開始後所定時間内（３０分〜１０時間程度可変）に再度送信機６の送信信号を受けない場合に、中継機７は、携帯端末３からカメラ２で撮像した画像を遠隔地の所定の監視用携帯端末９に異常送信（携帯端末３からの携帯電話送信１１）をさせるための信号１２を発する。なお、送信機６の送信信号と、中継機７からの送信信号１２、および携帯電話送信１１は、当然のことながら、異なる周波数を用いる。
【００１０】以上のように、動体検知センサー５の送信機６から検知信号が発信され（動体４の動きが検知されたことを示す）ると、タイマー８は時間カウントを始める。タイマー８は送信機６の送信信号を受けてカウントを開始し、所定時間内に再度動体４の動きが検知されると、送信機６の送信信号を受けてカウントをリセットし、初期状態（始め）に戻る。所定時間内に再度送信機６の送信信号を受けない場合は、動体４の動きが検知されない（動体６が存在しないか、もしくは動かないこと）場合は何らかの事故や異変の可能性があり、この場合には、タイマー８がカウントアップして、中継機７が信号１２（微弱電波）を携帯端末３に対して発し、携帯端末３を作動させて、カメラ２で撮像した画像を遠隔地の所定の監視用携帯端末９に送信１１させる。
【００１１】  タイマー８がカウントする所定時間を設定するため、中継機７は、タイマー可変装置１０を備える。タイマー可変装置１０（ロータリー式の可変装置等使用）により、所定時間が設定され、カウント開始後中継機７が信号（微弱電波）を発する時間が決定される。これにより、携帯端末３からカメラ２で撮像した画像を遠隔地の所定の監視用携帯端末９に送信させるタイムアップ時間が調整可能となる。所定時間は、３０分〜１０時間程度可変であるが、さらに設定時間を広げることも可能である。このようにして、タイマー可変装置１０により設定された所定時間内に再度送信機６の送信信号を受けない場合（動体４の動きが検知されない）、事故や異変の可能性が有るとして、タイマー８がカウントアップし、中継機７が信号１２（微弱電波）を携帯端末３に対して発信し、携帯端末３を作動させて、カメラ２で撮像した画像を遠隔地の所定の監視用携帯端末９に撮影した画像を送信１１させる。
【００１２】  なお、本実施例で使用される動体検知センサー５は、既知の赤外線センサーを利用しているが、他の動体センサーとしては、ドップラーセンサーが使用できる。ドップラーセンサーは、赤外線センサーに比べて検知範囲が広く壁越しでの動体の検知が可能なため、浴室など、プライバシーの必要な対象への検出が可能となるので、利用範囲が広がるメリットがある。
【産業上の利用可能性】
【００１３】  本監視装置は、介護施設と、居宅介護の現場において、要介護者の生存状況を察知する上で有効である。
【符号の説明】
【００１４】１  監視装置
２  内蔵カメラ
３  携帯端末
５  動体検知センサー
７  中継機
８  タイマー。
【図１】
0003206214.tif 000003